(57)【要約】      （修正有）【課題】作業者が容易にリセットスイッチを操作することができる上、操作窓を介して浸入した水を本体ケース内部の基板等に触れさせることなく排出することができ、且つ、意匠性についても損なわれにくいインターホン機器を提供する。【解決手段】マイク凹部内でマイク孔よりも下方となる位置に、リセットスイッチを操作するための操作窓１３を開設した。また、前ケース２の後面に、操作窓１３から、操作窓１３よりも下方で前ケース２に開設されたボタン窓１７や、本体ケースの底面の近傍位置に開設された断裂部にかけて、内面から後方へ立設された第１防水リブ１５及び第２防水リブ１８により囲まれる第１排水空間及び第２排水空間を設けるとともに、第１排水空間及び第２排水空間を後方から覆うように防水カバー２４を取り付け、更に防水カバー２４の後方にメイン基板３１を設置した。【選択図】図４
2015192215.tif 000002
【特許請求の範囲】
【請求項１】
本体ケースの内部に、通話のためのマイクと、自身を含むインターホンシステムの設定をリセットするためのリセットスイッチと、前記リセットスイッチを搭載された基板とを設置するとともに、前記本体ケースの前面における前記マイクの前方となる位置に、上下方向へ長いマイク凹部を設け、前記マイク凹部内にマイク孔を開設してなるインターホン機器であって、
前記マイク凹部内で前記マイク孔よりも下方となる位置に、前記リセットスイッチを操作するための操作窓を開設する一方、
前記本体ケースの内面側に、前記操作窓から、前記操作窓よりも下方で前記本体ケースの前面若しくは底面に開設された排水口にかけて、前記内面から後方へ立設された防水リブにより囲まれる排水空間を設けるとともに、前記排水空間を後方から覆うように防水カバーを取り付け、前記防水カバーの後方に前記リセットスイッチが位置するように前記基板を設置したことを特徴とするインターホン機器。
【請求項２】
前記本体ケースに、前記インターホンシステムにおいて他のインターホン機器を呼び出す際に押し込み操作する操作部を設ける一方、
前記操作部の押し込み操作に応じて駆動するスイッチを前記基板上に搭載しており、
前記防水カバーの後方に前記リセットスイッチ及び前記スイッチが位置するように前記基板を設置したことを特徴とする請求項１に記載のインターホン機器。
【発明の詳細な説明】
【技術分野】
【０００１】
本発明は、たとえば集合住宅インターホンシステムに用いられる集合玄関機等といったインターホン機器に関するものである。
【背景技術】
【０００２】
従来、インターホン機器の一例である集合玄関機としては、たとえば特許文献１に記載されているようなものがある。このような集合玄関機には、集合住宅インターホンシステムの設定をリセットするためのリセットスイッチが一般的に設けられている。そして、特許文献１に記載の集合玄関機では、本体ケースの底面に、リセットスイッチを操作するための操作窓を開設するとともに、本体ケースの内部に、操作窓を介して底面側から上方へ押し込み操作可能にリセットスイッチを設けていた。
【先行技術文献】
【特許文献】
【０００３】
【特許文献１】特開２０１０−５０７９７号公報
【発明の概要】
【発明が解決しようとする課題】
【０００４】
しかしながら、上述したように本体ケースの底面に操作窓を開設すると、たとえば集合玄関機がその周面を壁面に埋設した状態で設置されているような場合に、作業者がリセットスイッチを操作しづらいという問題がある。
また、そのような問題を解決すべく、操作窓を本体ケースの前面に開設し、本体ケースの前面側からリセットスイッチを操作可能とするように構成することも考えられる。しかしながら、ただ単に本体ケースの前面に操作窓を開設したのでは、操作窓を介して浸入する雨水等の水が問題となるし、意匠性も損なわれるという問題もある。
【０００５】
そこで、本発明は、上記問題に鑑みなされたものであって、作業者が容易にリセットスイッチを操作することができる上、操作窓を介して浸入した水を本体ケース内部の基板等に触れさせることなく排出することができ、且つ、意匠性についても損なわれにくいインターホン機器を提供しようとするものである。
【課題を解決するための手段】
【０００６】
上記目的を達成するために、本発明は、本体ケースの内部に、通話のためのマイクと、自身を含むインターホンシステムの設定をリセットするためのリセットスイッチと、リセットスイッチを搭載された基板とを設置するとともに、本体ケースの前面におけるマイクの前方となる位置に、上下方向へ長いマイク凹部を設け、マイク凹部内にマイク孔を開設してなるインターホン機器であって、マイク凹部内でマイク孔よりも下方となる位置に、リセットスイッチを操作するための操作窓を開設する一方、本体ケースの内面側に、操作窓から、操作窓よりも下方で本体ケースの前面若しくは底面に開設された排水口にかけて、内面から後方へ立設された防水リブにより囲まれる排水空間を設けるとともに、排水空間を後方から覆うように防水カバーを取り付け、防水カバーの後方にリセットスイッチが位置するように基板を設置したことを特徴とする。
この構成によれば、マイク凹部内でマイク孔よりも下方となる位置に、リセットスイッチを操作するための操作窓を開設している。したがって、作業者にしてみると本体ケースの前面側からリセットスイッチを操作することができ、従来よりも容易にリセットスイッチを操作することができる。また、本体ケースの前面に操作窓が開設されているにも拘わらず、操作窓が目立ちにくく、インターホン機器の意匠性が損なわれにくい。さらに、本体ケースの内面側に、操作窓から、操作窓よりも下方で本体ケースの前面若しくは底面に開設された排水口にかけて、内面から後方へ立設された防水リブにより囲まれる排水空間を設けるとともに、排水空間を後方から覆うように防水カバーを取り付け、防水カバーの後方にリセットスイッチが位置するように基板を設置している。したがって、操作窓から本体ケースの内部側に浸入する水をリセットスイッチ等に触れさせることなく、排水口から本体ケース外へ排出することができる。
なお、請求項１における「操作窓よりも下方で本体ケースの前面若しくは底面に開設された排水口」とは、本体ケースの底部で、底面の近傍位置に開設された排水口、すなわち厳密には底面でない位置に開設された排水口をも含むものとする。
【０００７】
請求項２に記載の発明は、請求項１に記載の発明において、前記本体ケースに、前記インターホンシステムにおいて他のインターホン機器を呼び出す際に押し込み操作する操作部を設ける一方、前記操作部の押し込み操作に応じて駆動するスイッチを前記基板上に搭載しており、前記防水カバーの後方に前記リセットスイッチ及び前記スイッチが位置するように前記基板を設置したことを特徴とする。
この構成によれば、一つの基板にリセットスイッチとスイッチとを搭載するとともに、リセットスイッチ及びスイッチを一つの防水カバーで覆っているため、部品点数の削減や本体ケースの内部における構造の簡易化を図ることができる。
【発明の効果】
【０００８】
本発明によれば、マイク凹部内でマイク孔よりも下方となる位置に、リセットスイッチを操作するための操作窓を開設している。したがって、作業者にしてみると本体ケースの前面側からリセットスイッチを操作することができ、たとえ周面が壁面に埋設された状態でインターホン機器が設置されているような場合であっても、容易にリセットスイッチを操作することができる。また、本体ケースの前面に操作窓が開設されているにも拘わらず、操作窓が目立ちにくく、インターホン機器の意匠性が損なわれにくい。
さらに、本体ケースの内面側に、操作窓から、操作窓よりも下方で本体ケースの前面若しくは底面に開設された排水口にかけて、内面から後方へ立設された防水リブにより囲まれる排水空間を設けるとともに、排水空間を後方から覆うように防水カバーを取り付け、防水カバーの後方に基板を設置している。したがって、操作窓から本体ケースの内部側に浸入する水をリセットスイッチ等に触れさせることなく、排水口から本体ケース外へ排出することができる。
【図面の簡単な説明】
【０００９】
【図１】集合玄関機を前面側から示した説明図である。
【図２】図１中の領域Ａを拡大して示した説明図である。
【図３】後ケースを取り外した状態の集合玄関機を後面側から示した説明図である。
【図４】図３に示す集合玄関機を分解した状態を示した斜視説明図である。
【図５】図４中の領域Ｂを拡大して示した説明図である。
【図６】メイン基板を取り外した状態の集合玄関機を後面側から示した説明図である。
【図７】防水カバーを取り外した状態の集合玄関機を後面側から示した説明図である。
【図８】図７におけるＣ−Ｃ線断面の一部を拡大して示した説明図である。
【発明を実施するための形態】
【００１０】
以下、本発明の一実施形態となる集合玄関機について、図面にもとづき詳細に説明する。
【００１１】
図１は、集合玄関機１を前面側から示した説明図である。図２は、図１中の領域Ａを拡大して示した説明図である。図３は、後ケースを取り外した状態の集合玄関機１を後面側から示した説明図である。図４は、図３に示す集合玄関機１を分解した状態を示した斜視説明図である。図５は、図４中の領域Ｂを拡大して示した説明図である。図６は、メイン基板３１を取り外した状態の集合玄関機１を後面側から示した説明図である。図７は、防水カバー２４を取り外した状態の集合玄関機１を後面側から示した説明図である。図８は、図７におけるＣ−Ｃ線断面の一部を拡大して示した説明図である。なお、図８では、呼出ボタン６を省略している。
【００１２】
集合玄関機１は、所謂集合住宅インターホンシステムの一部として使用されるものであって、前側に配置される前ケース２と、後側に配置される後ケース（図示せず）とで構成される本体ケースを有しており、本体ケースの前面上部には、通話のためのスピーカ部３や本体ケースの前方を撮像するためのカメラ部４等が設けられている。一方、本体ケースの前面下部には、来訪者が居住者を呼び出す際に操作するテンキー５や呼出ボタン６が設けられており、呼出ボタン６の上部に、通話のためのマイク部７が設けられている。そして、このような集合玄関機１は、集合住宅の玄関の壁面等に設置されており、来訪者によりテンキー５が操作されて呼び出す住戸が特定された後、呼出ボタン６が操作されると、対応する住戸の住戸端末（図示せず）を呼び出すとともに、カメラ部４を作動させて来訪者を撮影する。その後、住戸端末において応答操作がなされると、住戸端末との間で通話可能となる。尚、８は、前ケース２の前面に取り付けられる化粧カバーであり、９は、たとえばカードキーを読み取る読取装置等の錠装置を設置するための設置部である。
【００１３】
ここで、本発明の要部となるマイク部７、及び本体ケース内における排水構造について詳細に説明する。
マイク部７は、前ケース２の前面を後方へ凹ませてなるマイク凹部１１と、マイク凹部１１内に設けられるマイク孔１２とを備えている。マイク凹部１１は、正面視が上下方向に長い長円状に形成されており、該マイク凹部１１の背面の右側縁に沿ってマイク孔１２が上下方向へ延びるスリット状に開設されている。また、マイク凹部１１の背面は、マイク孔１２よりも下側となる位置から下方へ向かうにつれて徐々に前方へせり出すテーパ面１１Ａとなっている。そして、マイク凹部１１の下端では、マイク凹部１１の背面（テーパ面１１Ａ）と前ケース２の前面とが段差無く一連になっており、当該マイク凹部１１の下端部に、本体ケース内に設置されるリセットスイッチ（図示せず）を操作するための操作窓１３が丸孔状に開設されている。
【００１４】
一方、前ケース２の後面には、円筒状のリブがマイク孔１２を囲むように後方へ立設されており、マイクを搭載したマイク基板３２を設置するためのマイク設置部１４として機能するようになっている。また、前ケース２の後面におけるマイク設置部１４の下方には、操作窓１３を介して本体ケースの内部へ浸入してきた水の拡散を防ぐための第１防水リブ１５が後方へ立設されている。該第１防水リブ１５は、後面視が下方へ開口するコ字状となるように形成されており、操作窓１３の左右両側及び上側を囲っている。そして、第１防水リブ１５によって囲まれる操作窓１３の後方空間が、第１排水空間１６として機能することになる。さらに、操作窓１３の下方には呼出ボタン６を露出させるためのボタン窓１７が開設されており、前ケース２の後面においてボタン窓１７を囲むように、第２防水リブ１８が後方へ立設されている。この第２防水リブ１８は、第１防水リブ１５の両端部から連続するように設けられており、第２防水リブ１８に囲まれたボタン窓１７の後方空間が、第１排水空間１６と連通する第２排水空間１９として機能することになる。また、第２防水リブ１８の下部には断裂部２０が設けられており、第２排水空間１９内の水を下方へ排水可能となっている。さらに、前ケース２の下縁に沿って、後方へ突出する下壁２１が立設されており、該下壁２１には、複数の排水用切り欠き２２、２２・・が形成されている。なお、２３は、テンキー５を露出するためのテンキー窓である。
【００１５】
そして、集合玄関機１では、上記前ケース２に対して、まずボタン窓１７に呼出ボタン６を、テンキー窓２３にテンキー５を夫々セットする。次に、呼出ボタン６やテンキー５に加え、第１排水空間１６及び第２排水空間１９の後方をも覆うように合成樹脂製の防水カバー２４を取り付ける。このとき、防水カバー２４の前面は第１防水リブ１５や第２防水リブ１８の後端に当接しており、第１排水空間１６や第２排水空間１９は操作窓１３、ボタン窓１７、及び断裂部１９を除いて密閉されることになる。さらに、防水カバー２４の後面側に、テンキー５や呼出ボタン６に対応して設けられ、それぞれの押し込み操作に応じて駆動する各種スイッチ、及び集合住宅インターホンシステムの設定をリセットするためのリセットスイッチが搭載されたメイン基板３１をネジ止めする。
【００１６】
上述したように防水カバー２４やメイン基板３１等が取り付けられた集合玄関機１によれば、マイク凹部１１に溜まろうとする水はテーパ面１１Ａに沿って下方へ移動し、操作窓１３を介して本体ケースの内部側へ移動する。しかしながら、操作窓１３の後方にある第１排水空間１６は、第１防水リブ１５及び防水カバー２４により密閉されているため、本体ケースの内部側へ移動した水は、メイン基板３１等に触れることなく第２排水空間１９へ移動する。また、第２排水空間１９も第２防水リブ１８や防水カバー２４により密閉されているため、第２排水空間１９へ移動した水は、ボタン窓１７から本体ケースの外部へ移動するか、断裂部２０を介して更に下方へ移動し、最終的に排水用切り欠き２２、２２・・を介して本体ケースの外部へ移動するかして、本体ケース外へ排出されることになる。なお、呼出ボタン６やテンキー５を押し込み操作すると防水カバー２４が後方へ撓み、防水カバー２４の後方にあるメイン基板３１上のスイッチが、防水カバー２４を介して操作されることになる。また、リセットスイッチについても同様で、操作窓１３から棒状部材を本体ケースの内部側へ差し込むと防水カバー２４が後方へ撓み、防水カバー２４の後方にあるメイン基板３１上のリセットスイッチが、防水カバー２４を介して操作される。
【００１７】
以上のような構成を有する集合玄関機１によれば、マイク凹部１１内でマイク孔１２よりも下方となる位置に、リセットスイッチを操作するための操作窓１３が開設されている。したがって、作業者にしてみると本体ケースの前面側からリセットスイッチを操作することができ、たとえ周面が壁面に埋設された状態で集合玄関機１が設置されているような場合であっても、容易にリセットスイッチを操作することができる。また、本体ケースの前面に操作窓が開設されているにも拘わらず、操作窓が目立ちにくく、インターホン機器の意匠性が損なわれにくい。
【００１８】
また、前ケース２の後面に、操作窓１３から、操作窓１３よりも下方で前ケース２に開設されたボタン窓１７や、本体ケースの底面の近傍位置に開設された断裂部２０にかけて、内面から後方へ立設された第１防水リブ１５及び第２防水リブ１８により囲まれる第１排水空間１６及び第２排水空間１９が設けられているとともに、第１排水空間１６及び第２排水空間１９を後方から覆うように防水カバー２４が取り付けられ、更に防水カバー２４の後方にメイン基板３１が設置されている。したがって、操作窓１３から本体ケースの内部側に浸入する水を、メイン基板３１等に触れさせることなく、ボタン窓１７や断裂部２０を介して排水用切り欠き２２、２２・等から本体ケースの外部へ排出することができる。
さらに、リセットスイッチとスイッチとが同じ一つのメイン基板３１に搭載されているとともに、リセットスイッチ及びスイッチのどちらもが同じ一つの防水カバー２４の後方に位置しているため、部品点数の削減や本体ケースの内部における構造の簡易化を図ることができる。
【００１９】
さらにまた、マイク凹部１１の背面を、マイク孔１２よりも下側となる位置から下方へ向かうにつれて徐々に前方へせり出すテーパ面１１Ａとしているため、マイク凹部１１内に溜まろうとする水を下方へ引っ張ることができ、水のマイク孔１２からの浸入防止、すなわち防水性の向上を図ることができる。
加えて、マイク孔１２の下方に操作窓１３を開設したことで、マイク孔１２から浸入しようとする水を操作窓１３から第１排水空間１６へ引き込むことができ、防水性の更なる向上を図ることができる。
【００２０】
なお、本発明に係るインターホン機器は、上記実施形態の態様に何ら限定されるものではなく、インターホン機器の全体的な構成は勿論、排水構造に係る構成等について、本発明の趣旨を逸脱しない範囲で、必要に応じて適宜変更することができる。
【００２１】
たとえば、上記実施形態では、マイク凹部１１の下端部に操作窓１３を開設しているが、マイク孔１２よりも下方であれば下端部でなくともよい。さらに、マイク凹部１１の形状も適宜変更可能であり、テーパ面１１Ａを形成しないように構成することも当然可能である。
【００２２】
また、上記実施形態では、断裂部２０までしか防水リブにより囲っていないが、排水用切り欠き２２、２２・・まで防水リブで囲うように構成することも可能である（たとえば、第２防水リブ１８を延設したり、断裂部２０から排水用切り欠き２２にかけて第３防水リブで囲った第３排水空間を設ける等の構成が考えられる）。さらに、第２防水リブ１８に設ける断裂部２０の数や位置等については適宜設計変更可能であるし、第１防水リブ１５の形状等についても適宜変更可能である。
【００２３】
加えて、上記実施形態では集合玄関機について説明しているが、本発明のインターホン機器は、マイク部を有するインターホン機器であれば、インターホン子機やインターホン親機、テレビドアホンシステムの玄関子機等の他のインターホン機器に対しても良好に適用することができる。
【符号の説明】
【００２４】
１・・集合玄関機（インターホン機器）、２・・前ケース（本体ケース）、５・・テンキー（操作部）、６・・呼出ボタン（操作部）、７・・マイク部、１１・・マイク凹部、１１Ａ・・テーパ面、１２・・マイク孔、１３・・操作窓、１５・・第１防水リブ、１６・・第１排水空間、１７・・ボタン窓（排水口）、１８・・第２防水リブ、１９・・第２排水空間、２０・・断裂部（排水口）、２２・・排水用切り欠き（排水口）、２４・・防水カバー、３１・・メイン基板（基板）。
【図１】
2015192215.tif 000003
【図２】
2015192215.tif 000004
【図３】
2015192215.tif 000005
【図４】
2015192215.tif 000006
【図５】
2015192215.tif 000007
【図６】
2015192215.tif 000008
【図７】
2015192215.tif 000009
【図８】
2015192215.tif 000010